(57)【要約】【目的】  野菜や花卉などの植物が害虫被害に遭うのを確実に防止することができる植物栽培用コンテナを提供する。【構成】  上面を開口（開口部１２Ａ）し、植物を植えた栽培容器４０を収容可能なベース容器１２を設ける。ベース容器１２の開口（開口部１２Ａ）を開閉可能に取り付けられ、透光性・通気性、並びに、防虫機能を有した防護部材２０を設ける。防護部材２０は、害虫の通過を阻止可能な網目のネット、若しくは、寒冷紗、或いは、不織布にて構成する。【選択図】        図１
2005160386.tif 000002
【特許請求の範囲】
【請求項１】
上面が開口し、植物を植えた栽培容器を収容可能なベース容器と、
該ベース容器の開口を開閉可能に取り付けられ、透光性・通気性、並びに、防虫機能を有した防護部材とを備えたことを特徴とする植物栽培用コンテナ。
【請求項２】
前記ベース容器は、前記栽培容器を１個乃至３個収納可能な大きさを呈していることを特徴とする請求項１の植物栽培用コンテナ。
【請求項３】
前記防護部材は、害虫の通過を阻止可能な網目のネット、若しくは、寒冷紗、或いは、不織布であることを特徴とする請求項１又は請求項２の植物栽培用コンテナ。
【請求項４】
前記ベース容器の開口と防護部材との間をシールするシール部材を設けたことを特徴とする請求項１、請求項２又は請求項３の植物栽培用コンテナ。
【請求項５】
前記シール部材を弾性材料にて構成したことを特徴とする請求項４の植物栽培用コンテナ。
【請求項６】
前記防護部材は、前記ベース容器の一側に回動自在に接続されていることを特徴とする請求項１、請求項２、請求項３、請求項４又は請求項５の植物栽培用コンテナ。
【請求項７】
前記ベース容器の相対向する位置に、運搬用の把手を設けたことを特徴とする請求項１、請求項２、請求項３、請求項４、請求項５又は請求項６の植物栽培用コンテナ。
【発明の詳細な説明】
【技術分野】
【０００１】
本発明は、野菜や草花或いは花卉などの植物を無農薬で栽培することが可能な植物栽培用コンテナに関するものである。
【背景技術】
【０００２】
近年、畑を所持しない家庭で野菜や花卉などの植物を栽培する場合、特に都市型のアパートやマンションなどでは市販のプランターや鉢などの栽培容器を用いて軒下やベランダなどの狭いスペースを有効利用し野菜や花卉などの植物の栽培を行うのが一般的であった。栽培容器は、例えば一般に市販され移動しやすい大きさの外法長さ約３７０ｍｍ、奥行き約２００ｍｍ、高さ約１５０ｍｍのプランター３７０型を使用し軒下やベランダなどで植物の栽培を行うと、それらの植物は害虫被害に遭い食べられなくなってしまう場合がある。農薬を散布すれば害虫から植物を守ることができるが、薬害の問題から植物の無農薬化が叫ばれている。そこで、殺虫剤等の農薬を使わずに植物を害虫被害から守る一般的な方法として、防虫ネットで栽培容器を直接覆い、農薬を使用せず植物を栽培していた。
【０００３】
一方、栽培容器に用いる防虫ネット（害虫の通過を阻止可能な網目のネットや寒冷紗、或いは、不織布等）が市販されている。しかし、それらの防虫ネットで栽培容器を覆った際、栽培容器と防虫ネット間は完全に密閉できず僅かではあるが隙間が発生してしまう。栽培容器と防虫ネットの間に隙間が発生するとそこから防虫ネット内に害虫が侵入してしまうため、栽培容器と防虫ネット間に隙間が発生しないように、栽培容器の周囲と防虫ネットとを多数のクリップなどを使用し隙間が開かないように丁寧に固定しなくてはならない。
【０００４】
この場合の防虫ネットの取り付け作業は繁雑であり、栽培容器に手軽に防虫ネットを取り付けられず、忙しい人には不向きであった。仮に、栽培容器に隙間なく防虫ネットを取り付けられたとしても、栽培容器での植物の栽培は畑地での植物の栽培に比べて土の量が限られてしまうため定期的な水補給や収穫、或いは、栽培時の間引き等それらの作業時に防虫ネットを開閉しなくてはならず、防虫ネットの開閉に煩わしさがある。また、栽培容器は軒下やベランダなどの狭いスペースに設置しているため中腰作業となり、特に軒下やベランダでは降雨時の作業も重なり、家庭菜園の楽しみを半減させることになる場合もある。
【０００５】
そこで、農薬を使用せず植物を害虫の被害から守るため、上下面を開口した周囲に防虫ネットを設けた角筒状の本体を用意し、栽培容器（プランター）の４隅外側に本体より下方に延在する棒体を土中に差し込んで固定し、本体の下面開口（防虫ネットの下端）を栽培容器周囲に当接している。そして、防虫ネットからなる蓋で本体上面開口を閉塞することにより内部に植物を栽培できるようなものがある（特許文献１参照）。このように栽培容器に植えた植物を防虫ネットで覆って、殺虫剤などの農薬等を用いずに栽培できるようになっていた。
【０００６】
【特許文献１】実開昭５６−３７６８号公報
【発明の開示】
【発明が解決しようとする課題】
【０００７】
しかしながら、栽培容器の底面には多数の排水用の穴が設けられているため、栽培容器で栽培している植物に水を補給すると、補給した水は栽培容器の底面に設けた排水用の穴から漏れ出てしまう。このため、漏れ出た水で軒下やベランダなどが汚れてしまい外観的に美観を損ねてしまう問題があった。また、栽培容器から漏れ出した水には植物が育つための養分も含まれており、それらの水や養分を求めナメクジ、ダンゴムシ、ムカデ等多種多様な害虫が栽培容器下部に集まり、不衛生になってしまう問題もあった。
【０００８】
また、底面に設けた排水用の多数の穴から、栽培容器下部に集まった害虫が栽培容器内部へ侵入してしまう。この場合、防虫網で覆った栽培容器内への害虫の侵入を完全に防ぐには、栽培容器全体を防虫網で完全に覆う以外にないが、現状の方法では栽培容器内への害虫の侵入を完全に防ぐことができず、やはり植物に害虫の被害が発生してしまうという問題があった。
【０００９】
また、栽培容器の上面開口周囲に防虫ネットを設けていたため、栽培容器自体は直接外気に触れてしまう。このため、外気温度が低い冬季などでは植物の保温効果が半減してしまう問題があった。
【課題を解決するための手段】
【００１０】
即ち、本発明の植物栽培用コンテナは、上面が開口し、植物を植えた栽培容器を収容可能なベース容器と、このベース容器の開口を開閉可能に取り付けられ、透光性・通気性、並びに、防虫機能を有した防護部材とを備えたことを特徴とする。
【００１１】
また、請求項２の発明の植物栽培用コンテナは、上記において、ベース容器は、栽培容器を１個乃至３個収納可能な大きさを呈していることを特徴とする。
【００１２】
また、請求項３の発明の植物栽培用コンテナは、請求項１又は請求項２において、防護部材は、害虫の通過を阻止可能な網目のネット、若しくは、寒冷紗、或いは、不織布であることを特徴とする。
【００１３】
また、請求項４の発明の植物栽培用コンテナは、請求項１、請求項２又は請求項３に加えて、ベース容器の開口と防護部材との間をシールするシール部材を設けたことを特徴とする。
【００１４】
また、請求項５の発明の植物栽培用コンテナは、請求項４において、シール部材を弾性材料にて構成したことを特徴とする。
【００１５】
また、請求項６の発明の植物栽培用コンテナは、請求項１、請求項２、請求項３、請求項４又は請求項５に加えて、防護部材は、ベース容器の一側に回動自在に接続されていることを特徴とする。
【００１６】
また、請求項７の発明の植物栽培用コンテナは、請求項１、請求項２、請求項３、請求項４、請求項５又は請求項６に加えて、ベース容器の相対向する位置に、運搬用の把手を設けたことを特徴とする。
【発明の効果】
【００１７】
以上詳述した如く本発明によれば、上面が開口し、植物を植えた栽培容器を収容可能なベース容器と、このベース容器の開口に開閉可能に取り付けられ、透光性・通気性、並びに、防虫機能を有した防護部材とを備えたので、栽培容器とこの栽培容器で栽培する植物全体を植物栽培用コンテナで覆うことができる。これにより、例えば、植物栽培用コンテナの下面或いは上面から植物栽培用コンテナ内に害虫が侵入してしまうのを防止することが可能になると共に、植物栽培用コンテナ内に収容した栽培容器で栽培している植物に補給した水が、栽培容器から漏れ出た場合などでも、漏れた水をベース容器で受け止めることが可能となる。従って、植物栽培用コンテナの下側が水浸しになってしまうなどの不都合を未然に防止することができ、庭や畑のない家庭でも安心して植物を栽培することができるようになるものである。
【００１８】
特に、植物栽培用コンテナ内に栽培容器を収容しているので、栽培容器全体を防護部材で完全に覆うことができる。これにより、栽培容器への害虫の侵入を完全に防ぐことができるので、植物に害虫の被害が発生してしまうのを確実に阻止することが可能となる。従って、従来のように栽培容器下部に害虫が集まり、不衛生になってしまうなどの不都合も未然に回避することができる。また、栽培容器を植物栽培用コンテナ内に収容しているので、栽培容器自体が直接外気に触れてしまうのを防止することができる。これにより外気温度が低い冬季などでも植物の保温効果を大幅に向上することができるようになるものである。
【００１９】
また、請求項２の発明によれば、上記において、ベース容器は、栽培容器を１個乃至３個収納可能な大きさを呈しているので、例えば、ベランダや家屋内に植物栽培用コンテナを設置することができると共に、ベランダから家屋、家屋内からベランダに植物栽培用コンテナを移動することができる。これにより、昼間はベランダ夜は家屋内に植物栽培用コンテナを設置することが可能となる。従って、夜に気温の低下が著しい冬季などでも野菜や花卉などの植物が低温で枯れることなく栽培することができ、植物栽培用コンテナの利便性を大幅に向上することができるようになるものである。
【００２０】
また、請求項３の発明によれば、請求項１又は請求項２において、防護部材は、害虫の通過を阻止可能な網目のネット、若しくは、寒冷紗、或いは、不織布であるので、植物栽培用コンテナ内に害虫が侵入してしまうのを未然に阻止することが可能となり、栽培している植物への殺虫剤散布が不要となる。これにより、栽培容器で栽培している植物が害虫被害に遭うこともなくなる。従って、見た目も綺麗で清潔感のある植物（例えば、野菜や花卉など）を栽培することができるようになるものである。
【００２１】
また、請求項４の発明によれば、請求項１、請求項２又は請求項３に加えて、ベース容器の開口と防護部材との間をシールするシール部材を設けたので、例えば、請求項５の如く、シール部材を弾性材料にて構成することにより、ベース容器の開口に防護部材を圧着した際シール部材を弾性変形させることができる。これにより、ベース容器の開口と防護部材との隙間全体にシール部材を当接させることが可能となる。従って、ベース容器の開口を防護部材で完全に密閉することができるようになるので、ベース容器と防護部材の間から害虫が植物栽培用コンテナ内に入ってしまうのを確実に防止することができる。
【００２２】
特に、ベース容器の開口を防護部材で密閉することができるので、植物栽培用コンテナ内で栽培している植物が害虫被害に遭うのを完全に阻止することができる。これにより、植物栽培用コンテナ内で栽培している植物への殺虫剤散布の必要もなくなる。従って、植物栽培用コンテナ内で栽培している植物が害虫に食われることもなくなり、見た目も綺麗で清潔感のある例えば野菜や花卉などの植物を栽培し収穫することができるようになるものである。
【００２３】
また、請求項６の発明によれば、請求項１、請求項２、請求項３、請求項４又は請求項５に加えて、防護部材は、ベース容器の一側に回動自在に接続されているので、防護部材の接続箇所の反対側を持ち上げるだけで簡単に防護部材を開けることができるようになる。これにより、ベース容器の開口を覆っている防護部材を簡単に開けることが可能になるので、栽培容器で栽培している植物へ水の補給を行うことができるようになると共に、栽培容器で栽培しいてる植物の収穫を行うことが可能となる。従って、防護部材の開閉作業及び植物への水の供給作業や収穫作業を大幅に向上することができるようになるものである。
【００２４】
また、請求項７の発明によれば、請求項１、請求項２、請求項３、請求項４、請求項５又は請求項６に加えて、ベース容器の相対向する位置に、運搬用の把手を設けたので、植物を栽培している栽培容器が収納された植物栽培用コンテナを容易に持ち上げることが可能となる。これにより、例えば、冬季などで暖かい昼間は屋外、寒くなる夜は室内に植物栽培用コンテナの把手を持って移動することができる。従って、植物栽培用コンテナを極めて容易に移動することができるので、植物栽培用コンテナの利便性を大幅に向上させることができるようになるものである。
【発明を実施するための最良の形態】
【００２５】
本発明は、栽培容器で栽培する野菜や花卉などの植物が害虫被害に遭うのを防止するため、栽培容器を植物栽培用コンテナ内に収容することを特徴とする。植物が害虫被害に遭うのを防止するという目的を、栽培容器で栽培している植物ごと植物栽培用コンテナ内に収容することで実現した。
【実施例１】
【００２６】
次に、図面に基づき本発明の実施形態を詳述する。図１は本発明の植物栽培用コンテナ１０の正面図、図２は本発明の植物栽培用コンテナ１０の縦断側面図、図３は植物４２を栽培している栽培容器４０をベース容器１２内に収納した状態を示す図をそれぞれ示している。
【００２７】
植物栽培用コンテナ１０は、上面を開口し、後述する栽培容器４０を収容可能なベース容器１２と、このベース容器１２の上面開口（以降開口部１２Ａと称す）を覆う防護部材２０とから内部を空間の密閉容器状に構成している。ベース容器１２は内法長さ約４００ｍｍ、奥行き約２５０ｍｍ、高さ約１２０ｍｍの上面を開口した所定の厚さの合成樹脂容器にて構成されており、開口部１２Ａ周囲には長さ約３０〜５０ｍｍのフランジ部１４が設けられている。該ベース容器１２は底面及び周囲壁に孔はなく砂や土或いは水などが漏れない容器構造を呈している。尚、ベース容器１２は図示しないが必要に応じてリブ、或いは、波形などを設けて変形しないように補強しても差し支えない。
【００２８】
また、防護部材２０は、内法長さ約４００ｍｍ、奥行き約２５０ｍｍ、厚さ約１０ｍｍで縦長略矩形状の枠状に形成された枠体２２と、この枠体２２の対向位置（長手方向に直交する対向位置）に接続されると共に、ベース容器１２の開口部１２Ａから離間方向に突出して湾曲する支持部材２４と、この支持部材２４を覆って取り付けられた防虫ネット２６とから構成されており、枠体２２は前記ベース容器１２のフランジ部１４に合致すると共に当接可能な大きさを呈している。
【００２９】
枠体２２に設けられた支持部材２４は金属パイプ或いは合成樹脂パイプなどにて構成されており、この支持部材２４は枠体２２の長手方向に直交すると共に長手方向に所定の間隔で複数本（実施例では両端を含め５本）橋架され固定されている。即ち、防護部材２０は、防虫ネット２６で支持部材２４外面が覆われ一面を開口した略カマボコ状を呈している。
【００３０】
該防虫ネット２６は、内法長さ約４００ｍｍ、奥行き約２５０ｍｍ、高さ約３００ｍｍに形成されており、植物栽培用コンテナ１０は、フランジ部１４を含む長さ約５００ｍｍ、奥行き約３５０ｍｍ、高さ約４２０ｍｍ（ベース容器１２の高さ約１２０ｍｍ＋防護部材２０の高さ約３００ｍｍ）の大きさに形成されている。即ち、植物栽培用コンテナ１０は、手で持ってベランダから家屋、家屋内からベランダに容易に移動することができる大きさに形成している。
【００３１】
防虫ネット２６は、ナメクジ、ダンゴムシ、ムカデ、毛虫、或いは約２ｍｍ乃至３ｍｍ程度の小さな青虫などの害虫が通過不可能な約０．８ｍｍ〜１．０ｍｍメッシュのポリエチレン製ネット、若しくは、寒冷紗（目の粗い極めて薄い綿布、又は麻布、装飾・造花・カーテン、蚊帳、唐布など）、或いは、ポリプロピレン製の長繊維不織布にて構成されると共に、防虫ネット２６は透光率は約９０％程度に構成されている。即ち、防虫ネット２６は、植物４２が光合成をするための太陽光を通過可能な透光性、植物４２が呼吸をするための空気を通過可能な通気性、及び害虫を通過させない防虫機能を備えている。尚、防虫ネット２６は約０．２ｍｍ〜０．５ｍｍ程度の糸径にて構成されている。また、不織布の防虫機能は、約０．８ｍｍ〜１．０ｍｍメッシュのポリエチレン製ネットより良いとされている。
【００３２】
ベース容器１２のフランジ部１４にはシール部材１３が設けられており、防護部材２０の枠体２２にもシール部材２３が設けられている。これらのシール部材１３、２３は所定の厚さを呈した弾性ゴム、スポンジ、モルトプレーン、或いは、弾性合成樹脂などの弾性材料からなる弾性部材にて構成されると共に、両シール部材１３、２３はフランジ部１４及び枠体２２の当接面全面に設けられている。尚、シール部材１３、２３はベース容器１２のフランジ部１４、防護部材２０の枠体２２に図示しない接着剤或いはネジなどにてそれぞれ取り付けられ固定されている。また、シール部材１３、２３はベース容器１２のフランジ部１４と、防護部材２０の枠体２２とのシール性を損なうことがなければどちらか一方だけ設けても差し支えない。
【００３３】
また、ベース容器１２のフランジ部１４と、防護部材２０の枠体２２とが当接され合致した状態で、フランジ部１４と枠体２２は保持部材３０にて保持される。この保持部材３０は一側を開口しており、この開口にフランジ部１４と枠体２２とが当接され合致した状態で挿脱自在に構成されている。保持部材３０はベース容器１２周囲に４箇所設けられると共に長手方向両端から所定寸法内側で対向位置に設けられている。即ち、保持部材３０の開口内にフランジ部１４と枠体２２とが当接され合致した状態で挿入される。これにより、ベース容器１２の開口部１２Ａと防護部材２０の開口とが合致した状態で保持されると共にシール部材１３、２３が弾性圧縮されてフランジ部１４と枠体２２とが隙間なく接合される。
【００３４】
前記栽培容器４０は野菜や花卉などの植物４２を栽培するためのもので、一般に市販されている縦長略矩形状、所定の深さのプランターにて構成されている。該栽培容器４０は当該栽培容器４０に植物４２が栽培された状態で、植物栽培用コンテナ１０内に収容可能な大きさを呈している。即ち、栽培容器４０は外法長さ約３７０ｍｍ、奥行き約２００ｍｍ、高さ約１５０ｍｍの大きさ（現在市販されているプランター３７０型に相当）を呈している。この栽培容器４０は上面を開口し周囲には孔がなく、図示しないが底面には排水用の孔が複数設けられている。
【００３５】
尚、栽培容器４０はプランターに限らず、図示しないが直径約１５０ｍｍ、高さ約１５０ｍｍの鉢（現在市販されている５号鉢に相当）などを用いても差し支えない。この場合鉢は栽培容器４０の１／２の寸法となるため、植物栽培用コンテナ１０内には栽培容器４０の２倍の鉢を収容することができる。また、鉢は上記の大きさより小さい鉢ならば、植物栽培用コンテナ１０内にもっと数多く収容することができるので、植物栽培用コンテナ１０内に収容する鉢の数量は大きさによって異なるので好適に収容できる数量であれば大きさは特に問わない。また、栽培容器４０及び鉢は下方に行くに従って小さくなる形状を呈しており、栽培容器４０及び鉢の寸法は上縁の寸法を記載している。
【００３６】
該植物栽培用コンテナ１０は、内部に栽培容器４０が収容された状態（この場合、植物４２が植えられた栽培容器４０が１個収容された状態）で破損しない強度を有している。そして、図３に示すようにベース容器１２内に植物４２が植えられた栽培容器４０が１個収容される。次に、ベース容器１２の開口部１２Ａを防護部材２０で閉塞する。この時、防虫ネット２６はベース容器１２の離間側に突出させ、ベース容器１２のフランジ部１４に防護部材２０の枠体２２を合致して、フランジ部１４に設けたシール部材１３と枠体２２に設けたシール部材２３とを当接させる。
【００３７】
この状態で、フランジ部１４と枠体２２とを挟持して両シール部材１３、２３を接近させて弾性圧縮し、保持部材３０にてフランジ部１４と枠体２２とを保持する。これによって、ベース容器１２の開口部１２Ａは防護部材２０で閉塞され、フランジ部１４と枠体２２間は両シール部材１３、２３によって隙間なく密閉されると共に、栽培容器４０が植物栽培用コンテナ１０内に収容された状態で、当該植物栽培用コンテナ１０はフランジ部１４を手で持って運搬することができる。
【００３８】
このように、上面に開口部１２Ａを設け、植物４２を植えた栽培容器４０を収容可能なベース容器１２と、このベース容器１２の開口（開口部１２Ａ）を開閉可能に取り付けられ、透光性・通気性、並びに、防虫機能を有した防護部材２０とを備えているので、栽培容器４０とこの栽培容器４０で栽培する植物４２全体を植物栽培用コンテナ１０で覆うことができる。これにより、植物栽培用コンテナ１０の下面或いは上面から植物栽培用コンテナ１０内に害虫が侵入してしまうのを防止することが可能になる。
【００３９】
また、植物栽培用コンテナ１０を構成するベース容器１２は砂や土或いは水などが漏れない構造としているので、栽培容器４０で栽培している植物４２に補給した水が、栽培容器４０から漏れ出た場合などでも、漏れた水や砂や土をベース容器１２で受け止めることが可能となる。これにより、植物栽培用コンテナ１０を設置した軒下やベランダなどが水浸し或いは砂や土で汚れてしまうなどの不都合を未然に防止することができる。また、庭や畑のない家庭でも水や砂や土で汚れる心配がないので植物栽培用コンテナ１０内で安心して植物４２を栽培することができる。
【００４０】
特に、植物栽培用コンテナ１０内に栽培容器４０を収容しているので、栽培容器４０で栽培している植物４２全体を完全に覆うことができる。これにより、栽培容器４０への害虫の侵入を防ぐことができるので、植物４２に害虫の被害が発生してしまうのを確実に阻止することが可能となる。従って、従来のように栽培容器４０下部に害虫が集まり、不衛生になってしまうなどの不都合を未然に回避することができる。また、栽培容器４０を植物栽培用コンテナ１０内に収容しているので、栽培容器４０自体が直接外気に触れてしまうのを防止することができる。これにより外気温度が低い冬季などでも植物４２の保温効果を大幅に向上することができる。
【００４１】
また、防護部材２０は、害虫の通過を阻止可能な約０．８ｍｍ〜１．０ｍｍの網目のネット、若しくは、寒冷紗、或いは、不織布としているので、植物栽培用コンテナ１０内にナメクジ、ダンゴムシ、ムカデ、毛虫、或いは約２ｍｍ乃至３ｍｍ程度の小さな青虫などの害虫が侵入してしまうのを防止することが可能となり、栽培している植物４２への殺虫剤散布が不要となる。これにより、栽培容器４０で栽培している植物４２が害虫被害に遭うこともなくなる。従って、見た目も綺麗で清潔感のある植物４２（例えば、野菜や花卉など）を栽培することができる。
【００４２】
また、ベース容器１２の開口部１２Ａと防護部材２０との間をシールするため弾性部材からなるシール部材１３、２３をフランジ部１４と枠体２２に設けたので、ベース容器１２の開口部１２Ａに防護部材２０を圧着した際両シール部材１３、２３を弾性変形させることができる。これにより、ベース容器１２のフランジ部１４と防護部材２０の枠体２２との間全体にシール部材１３、２３を当接させることが可能となる。従って、ベース容器１２の開口部１２Ａと防護部材２０間を完全に密閉することができるので、ベース容器１２と防護部材２０との間から害虫がベース容器１２内に入ってしまうのを確実に防止することができる。
【００４３】
特に、ベース容器１２の開口部１２Ａを防護部材２０で密閉することができるので、植物栽培用コンテナ１０内で栽培している植物４２が害虫被害に遭うのを完全に阻止することができる。これにより、植物栽培用コンテナ１０内で栽培している植物４２への殺虫剤の散布が不要となる。従って、植物栽培用コンテナ１０内で栽培している植物４２が害虫に食われることもなくなるので、見た目も綺麗で清潔感のある例えば野菜や花卉などの植物４２を栽培することができる。
【実施例２】
【００４４】
次に、図４には本発明の他の実施例の植物栽培用コンテナ１０を示している。この場合、植物栽培用コンテナ１０はベース容器１２の一側に防護部材２０を回動自在に設けている。即ち、ベース容器１２と防護部材２０とを蝶番２８にて回動自在に設けている。具体的には、植物栽培用コンテナ１０の一側に前述の保持部材３０の代わりに蝶番２８を設け、対向位置に前述同様の保持部材（図示せず）を設けている。この蝶番２８は図示しないネジにてベース容器１２のフランジ部１４及び防護部材２０の枠体２２に固定されている。即ち、ベース容器１２のフランジ部１４と、防護部材２０の枠体２２とが当接され合致した状態で、フランジ部１４と枠体２２は蝶番２８にて回動自在に接続されている。これによって、植物栽培用コンテナ１０の防護部材２０は蝶番２８を支点に開閉することができる。
【００４５】
このように、防護部材２０は、ベース容器１２の一側に回動自在に接続されているので、植物栽培用コンテナ１０は蝶番２８の反対側を持ち上げるだけで簡単に防護部材２０を開けることができる。これにより、ベース容器１２の開口部１２Ａを覆っている防護部材２０を簡単に開けることができ、栽培容器４０で栽培している植物４２へ水の補給を行うことができるようになると共に、栽培容器４０で栽培してる植物４２の収穫を行うことが可能となる。従って、防護部材２０の開閉作業及び植物４２への水の供給作業や収穫作業を大幅に向上することができる。
【実施例３】
【００４６】
次に、図５には本発明の他の実施例の植物栽培用コンテナ１０を示している。この場合、植物栽培用コンテナ１０の一側（この場合、長手方向両端）に、当該植物栽培用コンテナ１０の運搬用の把手３２、３２を設けている。この把手３２、３２は植物栽培用コンテナ１０内に栽培容器４０が収納された状態で植物栽培用コンテナ１０を容易に持ち上げられて、変形や破損をしない金属或いは合成樹脂にて構成されている。また、把手３２、３２は側面Ｕ字状に形成され端部はベース容器１２のフランジ部１４に回動自在（図中実線矢印）に取り付けられると共に、手で握れる所定の形状を呈している。
【００４７】
このように、ベース容器１２の相対向する位置に、運搬用の把手３２、３２を設けたので植物４２を栽培している栽培容器４０を収納した植物栽培用コンテナ１０を容易に持ち上げ運搬することが可能となる。これにより、例えば、冬季などで暖かい昼間は屋外、寒くなる夜は室内に植物栽培用コンテナ１０を移動することができる。従って、植物栽培用コンテナ１０を極めて容易に移動することができ、植物栽培用コンテナ１０の利便性を大幅に向上させることができる。
【実施例４】
【００４８】
次に、図６には本発明の他の実施例の植物栽培用コンテナ１０を示している。この場合、植物栽培用コンテナ１０は内部に前記ベース容器１２内に栽培容器４０を収納した状態で複数（実施例では２個）収容可能に構成されている。この植物栽培用コンテナ１０は略平面に形成されたベース部材３４と防護部材３５と防雨部材３８とから構成されている。ベース部材３４は長さ約７００ｍｍ、奥行き約６００ｍｍ、厚さ約１０ｍｍの縦長略矩形状に形成されており、防護部材３５はベース部材３４の４隅に立設された図示しない支柱と、この支柱周囲に設けられると共に上面に設けられた前述の防虫ネット２６同様の防虫ネット３６にて構成されている。
【００４９】
防虫ネット３６は上下面を開口した各筒状に形成され下面はベース部材３４に密着して害虫が入り込まないように取り付けられると共に、ベース部材３４から約６００ｍｍ立設している。防虫ネット３６の上面開口は、害虫が入り込まないように蓋部材３７にて開閉自在に閉塞されると共に、蓋部材３７は防虫ネット３６同様の防虫ネットにて構成されている。
【００５０】
蓋部材３７の上面には山形に形成された防雨部材３８が設けられている。防雨部材３８は透明ビニールシートや透明ポリエチレンフィルム、或いは、透明樹脂板（アクリル板やポリカーボネート板）にて構成され、蓋部材３７に着脱可能に取り付けられている。３８Ａは防雨部材３８を所定寸法延長した庇で、蓋部材３７より所定寸法はみ出している。この場合、蓋部材３７より所定寸法はみ出した防雨部材３８（庇３８Ａ）によって降った雨で蓋部材３７が濡れないように構成すると共に、降った雨が栽培容器４０内に入らないように構成している。そして、植物栽培用コンテナ１０内への栽培容器４０の出し入れ（植物４２への水の供給作業や収穫作業等を含む）は、防雨部材３８及び蓋部材３７を開閉して行う。尚、防雨部材３８は所定強度のパイプ（図示せず）にて山形に形成されている。これによって、防雨部材３８は植物栽培用コンテナ１０内に雨が入り込まないように構成している。また、図示しないがベース部材３４には前述同様植物栽培用コンテナ１０を持ち上げて移動可能な取っ手が設けられている。
【００５１】
このように、植物栽培用コンテナ１０はベース容器１２に栽培容器４０を収納した状態で当該ベース容器１２を複数収容可能な大きさに構成しているので、植物栽培用コンテナ１０内で沢山の植物４２を栽培することができる。また、植物栽培用コンテナ１０内に栽培容器４０を複数個収容することにより、夜に気温の低下が著しい冬季などでも野菜や花卉などの植物４２を一度に数多く移動することができる。これにより、栽培容器４０の移動回数も少なくなるので植物栽培用コンテナ１０の利便性を更に大幅に向上することができる。
【００５２】
尚、実施例では植物栽培用コンテナ１０を構成する部品寸法を記載したが、部品寸法は記載した寸法に限らず、他の寸法でも差し支えない。この場合、野菜や花卉など所定の大きさの植物とこの植物に合わせて栽培する栽培容器などの大きさに適した寸法とするのが好ましい。
【図面の簡単な説明】
【００５３】
【図１】本発明の植物栽培用コンテナの正面図である。（実施例１）
【図２】本発明の植物栽培用コンテナの縦断側面図である。
【図３】植物を栽培している栽培容器をベース容器内に収納した状態を示す図である。
【図４】本発明のもう一つの実施の形態の植物栽培用コンテナ（ベース容器と防護部材とを蝶番で回動自在に接続）の縦断側面図である。
【図５】本発明のもう一つの実施の形態の植物栽培用コンテナ（把手を設けた植物栽培用コンテナ）の正面図である。
【図６】本発明のもう一つの実施の形態の植物栽培用コンテナ（栽培容器を複数収納）の縦断側面図である。
【符号の説明】
【００５４】
１０  植物栽培用コンテナ
１２  ベース容器
１２Ａ  開口部
１３  シール部材
１４  フランジ部
２０  防護部材
２２  枠体
２３  シール部材
２４  支持部材
２６  防虫ネット
２８  蝶番
３０  保持部材
３２  把手
４０  栽培容器
４２  植物
【図１】
2005160386.tif 000003
【図２】
2005160386.tif 000004
【図３】
2005160386.tif 000005
【図４】
2005160386.tif 000006
【図５】
2005160386.tif 000007
【図６】
2005160386.tif 000008